(57)【特許請求の範囲】
【請求項１】
装置本体と、
測定対象の被測定部の温度を非接触で測定する第１の測定部と、
測定対象の被測定部を特定するための照準光を出射する照準光出射部と、
前記第１の測定部による測定結果を示す第１の表示内容を表示する第１の表示部と、
前記第１の測定部で測定する温度以外の少なくとも一つの測定目的を測定する第２の測定部と、
前記第２の測定部による測定結果を示す第２の表示内容を表示する第２の表示部と、
を有し、
前記照準光出射部は、前記装置本体の側面のうち、正規の向きに見た場合の前記第２の表示内容の上側に対応する側面以外の側面に設けられており、
前記第１の表示内容を表示する前記第１の表示部の平面は、前記装置本体の前記照準光出射部が設けられた側面とは反対側に向けて、前記装置本体の主面に対して起こすことができることを特徴とする測定装置。
【請求項２】
前記照準光出射部は、前記装置本体の側面のうち、正規の向きに見た場合の前記第２の表示内容の下側に対応する側面に設けられていることを特徴とする請求項１に記載の測定装置。
【請求項３】
前記装置本体の側面のうち、正規の向きに見た場合の前記第１の表示内容の上側に対応する側面に、前記照準光出射部が設けられていることを特徴とする請求項１又は２に記載の測定装置。
【請求項４】
前記照準光出射部からの照準光の出射を開始させる温度測定スイッチを、前記第２の測定部による測定を開始させるスイッチとは別個に有することを特徴とする請求項１〜３のいずれかの項に記載の測定装置。
【請求項５】
前記照準光出射部からの照準光の出射を開始させる温度測定スイッチは、前記照準光出射部からの照準光の出射方向の下流側から上流側に向けて移動させることで、該照準光の出射を開始させることを特徴とする請求項１〜４のいずれかの項に記載の測定装置。
【請求項６】
前記第１の測定部による測定機能と前記第２の測定部による測定機能を選択的に有効にする切換スイッチを有し、前記第１、第２の表示部は、それぞれ前記切換スイッチにより前記第１、第２の測定部による測定機能が有効にされた場合に選択的に、前記第１、第２の表示内容の表示を表示することを特徴とする請求項１〜５のいずれかの項に記載の測定装置。
【請求項７】
前記第１の表示部と前記第２の表示部は、前記第１の表示内容と前記第２の表示内容を選択的に表示する共通の表示装置として構成されていることを特徴とする請求項１〜６のいずれかの項に記載の測定装置。
【請求項８】
前記表示装置は、複数の表示セグメントを選択的に点灯又は消灯させることで表示内容を表示するようになっており、前記第１の表示内容と前記第２の表示内容は共通の前記表示セグメントを用いて表示されることを特徴とする請求項７に記載の測定装置。
【発明の詳細な説明】
【技術分野】
【０００１】
本発明は、非接触式の温度測定が可能であると共にその他の少なくとも一つの測定目的の測定が可能である測定装置に関するものであり、例えば、放射温度計の機能を備えたＤＭＭ（デジタルマルチメータ）などに適用できるものである。
【背景技術】
【０００２】
従来、測定対象の被測定部の温度を離れた位置から非接触で測定する放射温度計がある。一般に、放射温度計では、赤外線センサによって測定対象の被測定部から放射される赤外線放射エネルギーを検出し、測定回路によって検出された赤外線放射エネルギーと所定の放射率とから測定対象の被測定部の温度を算出し、表示部において算出された温度を表示する。
【０００３】
このような放射温度計には、測定対象の被測定部を特定するための照準光を出射する照準光出射部が設けられることがある。この場合、測定対象の被測定部又はその近傍に、可視光領域のレーザー光や赤色ＬＥＤ光などとされる照準光のスポットなどを形成することで、実際に温度を測定している箇所を容易に視認することができる。赤外線センサの受光部と照準光出射部は、装置本体の同じ側面、典型的には、通常の使用状態で測定者の前方を向く装置本体の前面に設けられている。放射温度計によれば、測定対象の温度を非接触にて簡単、迅速に測定できる。
【０００４】
又、従来、電圧、電流、抵抗、静電容量などの複数の測定目的（パラメータ）の測定が可能なＤＭＭなどの測定装置に、上述のような放射温度計の機能を持たせたものが提案されている（特許文献１）。これによれば、例えば変電設備の保守・点検作業などにおいて、電圧、電流、抵抗、静電容量などを測定するためのＤＭＭなどの測定装置とは別に、放射温度計を持参する必要がなくなるので、非常に便利である。
【先行技術文献】
【特許文献】
【０００５】
【特許文献１】特開平１１−２３７２８４号公報
【発明の概要】
【発明が解決しようとする課題】
【０００６】
しかしながら、例えばＤＭＭなどの測定装置に放射温度計の機能を持たせる場合、次のような改善すべき課題があることがわかった。
【０００７】
例えば、ＤＭＭでは、一般に、ロータリースイッチとされるファンクションスイッチを所望の位置に回すことで、測定目的（電圧、電流、抵抗、静電容量など）や測定レンジを切り換えるようになっている。そして、例えば、ファンクションスイッチによって機能や測定レンジを選択した後に、このファンクションスイッチとは別個に設けられたメジャースイッチを押すことによって、測定を開始する。
【０００８】
このようなＤＭＭに放射温度計の機能を持たせる場合、図８に示すように、当該放射温度計の機能のための赤外線センサの受光部２１０と照準光出射部２１１を、通常の使用状態で測定者の前方を向く装置本体２０１の前面２０２に設けることが考えられる。又、測定結果を表示する表示部２０３は、通常の使用状態で測定者が視認し易いように、表示内容の上側が装置本体２０１の前面２０２側となるようにして装置本体２０１上面２０４に設けられる。そして、他の機能と同様に、上述のようなファンクションスイッチ２０５により放射温度計の機能を選択し、メジャースイッチ２０６を押すことで測定を開始するように構成することが考えられる。
【０００９】
このような測定装置を用いて温度測定を行う場合、ファンクションスイッチ２０５を温度測定の位置に回して、メジャースイッチ２０６を押すことになる。すると、照準光出射部２１１から照準光が出射され、測定者の前方の測定対象の被測定部又はその近傍に、照準光のスポットなどが形成される。そして、赤外線センサの受光部を介して、当該照準光によって特定される被測定部の温度が非接触で測定される。
【００１０】
しかし、例えば、測定者が、電圧、電流、抵抗、静電容量などの温度以外の測定のために測定装置を使用している際に、ファンクションスイッチ２０５を温度測定の位置に回してしまい、誤ってメジャースイッチ２０６を押した場合、照準光が不用意に照準光出射部２１１から出射されることになる。そして、この照準光が、測定者の前方にいる他者に不用意に照射されるおそれがある。照準光としては、レーザー光が使用されることがあり、例えばクラス２（ＪＩＳ  Ｃ  ６８０２）などの比較的安全なレーザーを使用した場合であっても、照射された他者に不快感を与える可能性がある。赤色ＬＥＤなどのレーザー以外の光源を用いた場合も同様である。
【００１１】
又、別の課題として、放射温度計を用いた温度測定では、赤外線センサを測定対象の被測定部に向けるために、測定者が装置本体を手で上下左右に傾ける必要が生じることがしばしばある。
【００１２】
しかし、上述のように装置本体の上面に表示部が設けられている場合、温度を測定したい測定対象の被測定部の位置によっては、表示部に表示された表示内容が読み取り難くなることがある。
【００１３】
又、温度測定のために装置本体を上下左右に傾けながらメジャースイッチを押さなければならない場合に、例えば装置本体の上面に設けられた、その他の測定目的のためにも用いるメジャースイッチでは、操作性が悪くなることがある。
【００１４】
従って、本発明の目的は、非接触式の温度測定が可能であると共にその他の少なくとも一つの測定目的の測定が可能である測定装置において、温度測定のための照準光が測定者の周囲の意図しない対象に不用意に照射されることを防止することのできる測定装置を提供することである。
【００１５】
又、本発明の他の目的は、非接触式の温度測定が可能であると共にその他の少なくとも一つの測定目的の測定が可能である測定装置において、温度測定の際の表示部の表示内容が読み取り易い測定装置を提供することである。
【００１６】
又、本発明の他の目的は、非接触式の温度測定が可能であると共にその他の少なくとも一つの測定目的の測定が可能である測定装置において、温度測定の際の操作性が向上した測定装置を提供することである。
【課題を解決するための手段】
【００１７】
上記目的は本発明に係る測定装置にて達成される。要約すれば、本発明は、装置本体と、測定対象の被測定部の温度を非接触で測定する第１の測定部と、測定対象の被測定部を特定するための照準光を出射する照準光出射部と、前記第１の測定部による測定結果を示す第１の表示内容を表示する第１の表示部と、前記第１の測定部で測定する温度以外の少なくとも一つの測定目的を測定する第２の測定部と、前記第２の測定部による測定結果を示す第２の表示内容を表示する第２の表示部と、を有し、前記照準光出射部は、前記装置本体の側面のうち、正規の向きに見た場合の前記第２の表示内容の上側に対応する側面以外の側面に設けられており、前記第１の表示内容を表示する前記第１の表示部の平面は、前記装置本体の前記照準光出射部が設けられた側面とは反対側に向けて、前記装置本体の主面に対して起こすことができることを特徴とする測定装置である。
【００１８】
本発明の一実施態様によると、前記照準光出射部は、前記装置本体の側面のうち、正規の向きに見た場合の前記第２の表示内容の下側に対応する側面に設けられている。好ましい一実施態様によれば、前記装置本体の側面のうち、正規の向きに見た場合の前記第１の表示内容の上側に対応する側面に、前記照準光出射部が設けられている。
【００１９】
本発明の一実施態様によると、前記照準光出射部からの照準光の出射を開始させる温度測定スイッチを、前記第２の測定部による測定を開始させるスイッチとは別個に有する。好ましい一実施態様によれば、前記照準光出射部からの照準光の出射を開始させる温度測定スイッチは、前記照準光出射部からの照準光の出射方向の下流側から上流側に向けて移動させることで、該照準光の出射を開始させる。
【００２０】
本発明の一実施態様によると、前記第１の測定部による測定機能と前記第２の測定部による測定機能を選択的に有効にする切換スイッチを有し、前記第１、第２の表示部は、それぞれ前記切換スイッチにより前記第１、第２の測定部による測定機能が有効にされた場合に選択的に、前記第１、第２の表示内容の表示を表示する。好ましい一実施態様によれば、前記第１の表示部と前記第２の表示部は、前記第１の表示内容と前記第２の表示内容を選択的に表示する共通の表示装置として構成されている。又、好ましくは、前記表示装置は、複数の表示セグメントを選択的に点灯又は消灯させることで表示内容を表示するようになっており、前記第１の表示内容と前記第２の表示内容は共通の前記表示セグメントを用いて表示される。
【発明の効果】
【００２２】
本発明によれば、非接触式の温度測定が可能であると共にその他の少なくとも一つの測定目的の測定が可能である測定装置において、温度測定のための照準光が測定者の周囲の意図しない対象に不用意に照射されることを防止することができる。又、本発明によれば、温度測定を行う際に、表示部を起こすことができるようにすることで、温度測定の際の表示部の表示内容を読み取り易くすることができる。又、本発明によれば、温度測定の際に用いる温度測定スイッチを設けることで、温度測定の際の操作性を向上することができる。
【図面の簡単な説明】
【００２３】
【図１】本発明の一実施例に係る測定装置の概略機能ブロック図である。
【図２】本発明の一実施例に係る測定装置の正面図である。
【図３】本発明の一実施例に係る測定装置の（ａ）上面が現れた斜視図、（ｂ）底面が現れた斜視図である。
【図４】本発明の一実施例に係る測定装置における表示装置の表示態様を説明するための測定装置の正面図である。
【図５】本発明の一実施例に係る測定装置を温度測定に使用している状態を示す斜視図である。
【図６】本発明の他の実施例に係る測定装置の底面図である。
【図７】本発明の更に他の実施例に係る測定装置の（ａ）斜視図、（ｂ）部分拡大図である。
【図８】従来の放射温度計の機能を有するＤＭＭの一例を示す正面図である。
【発明を実施するための形態】
【００２４】
以下、本発明の一実施例に係る測定装置を図面に則して更に詳しく説明する。
【００２５】
１．測定装置の全体的な構成
先ず、本発明の一実施例に係る測定装置の全体的な構成について説明する。本実施例では、測定装置１は、放射温度計の機能を持たせたＤＭＭとされる。
【００２６】
図１は、本発明の一実施例に係る測定装置１の概略機能ブロック図である。又、図２は、本実施例の測定装置１の正面図である。
【００２７】
測定装置１は、装置本体１０を有する。装置本体１０には、非接触式の温度測定器２、照準器３、テスタ回路４、測定端子５、制御部７、表示装置８、操作部９などが設けられている。温度測定器２は、赤外線センサ２１、センサ窓２２などを有して構成される。又、照準器３は、レーザー光源３１、ハーフミラー３２、ミラー３３、照準光窓３４、３４などを有して構成される。
【００２８】
制御部７は、それに内蔵されるか又は接続された記憶手段としてのメモリ（ＥＥＰＲＯＭ：電気的に消去・書き込み可能なＲＯＭ）などに格納されたプログラム、データに従って、測定装置１の各構成要素を制御する。例えば、制御部７には、温度測定器２の赤外線センサ２１、照準器３のレーザー光源３１、テスタ回路４、表示装置８、操作部９などが接続されている。そして、制御部７は、赤外線センサ２１、レーザー光源３１、テスタ回路４、表示装置８などを制御する。又、制御部７には、赤外線センサ２１、テスタ回路４からの検出信号、操作部９からの装置設定や測定開始・停止などの指示信号などが入力される。
【００２９】
本実施例では、温度検出部としての赤外線センサ２１は、サーモパイルセンサを有して構成される。センサ窓２２は、赤外線センサ２１に入射する光を通過させるように、装置本体１０に設けられている。センサ窓２２は、装置本体１０の一部を構成する側壁に設けられた開口部であってよく、その開口部に位置して又はその開口部と赤外センサ２１の検出面（光入射面）との間に集光レンズが設けられていてもよい。赤外線センサ２１は、その検出面に対向する測定対象Ｓの被測定部Ｐから放射される赤外線Ｉを検出して、そのエネルギー量に応じた強度の検出信号を生成して制御部７に出力する。このようにして、赤外線センサ２１は、測定目的（パラメータ）としての温度を非接触で検出する。又、制御部７は、赤外センサ２１と共に第１の測定部を構成する。制御部７は、赤外線センサ２１から出力された検出信号の示す赤外線Ｉのエネルギー量に基づいて、被測定部Ｐにおける温度を算出する。又、制御部７は、その温度を示す情報を表示装置８で表示させるための信号を表示装置８に出力する。
【００３０】
本実施例では、照準器３は、照準光として２本のレーザー光Ｌを出射する。レーザー光源３１は、赤外センサ２１の検出面が向けられた方向にレーザー光Ｌを出射する。ハーフミラー３２は、レーザー光Ｌの進行方向（出射方向）に対して所定の角度（例えば４５°）をなすようにして配置されており、レーザー光Ｌの一部を透過させると共に、一部をミラー３３に向けて反射させる。ミラー３３は、ハーフミラー３２によって反射されたレーザー光Ｌの進行方向に対して所定の角度（例えば４５°）をなすようにして配置されており、ハーフミラー３２を透過したレーザー光Ｌの進行方向（出射方向）と同じ方向に向けてハーフミラー３２からのレーザー光Ｌを反射させる。この場合、ハーフミラー３２及びミラー３３は、赤外センサ２１を挟んで対向すると共に、赤外線センサ２１から互いに同じ距離だけ離間する位置に配置されている。照準光窓３４、３４は、ハーフミラー３２を透過したレーザー光Ｌ、ミラー３３によって反射されたレーザー光Ｌを通過させるように、装置本体１０に設けられている。照準光窓３４、３４は、装置本体１０の一部を構成する側壁に設けられた開口部であってよく、その開口部に位置してレーザー光を透過するカバーなどが設けられていてもよい。
【００３１】
テスタ回路４は、一般的なＤＭＭ（デジタルマルチメータ）のものと同様であってよい。本実施例では、テスタ回路４は、測定目的（パラメータ）として、電圧（交流電圧、直流電圧）、電流（交流電流、直流電流）、抵抗、静電容量を測定することができるように構成されている。テスタ回路４は、第１の測定部で測定する温度以外の少なくとも一つの測定目的を測定する第２の測定部を構成する。テスタ回路４は、電圧生成回路、電流検出回路、電圧検出回路、Ａ／Ｄ変換回路及び演算回路などを備え、測定対象についての電気的パラメータを予め規定された周期で繰り返し測定して、その電気的パラメータ値を測定データとして制御部７に出力する。例えば、測定対象に発生する電圧の電圧値を測定する場合には、テスタ回路４において、電圧検出回路が、指定された測定範囲（測定レンジ）で測定対象の両端間に発生する電圧信号を検出し、Ａ／Ｄ変換回路が、この電圧信号をデジタルデータに変換し、演算回路が、このデジタルデータと指定された測定範囲の情報とに基づいて電圧値を算出して、測定データとして制御部７に出力する。制御部７は、その測定データに基づいて、測定結果、例えば、電圧値を表示装置８で表示させるための信号を表示装置８に出力する。
【００３２】
装置本体１０には、一対の測定端子５（５１、５２）が設けられている。一方の測定端子はアース側測定端子５１であり、一対のテストリード６（６１、６２）のうち一方のテストリードであるアース側テストリード６１が着脱可能に接続される。又、他方の測定端子はライン側測定端子５２であり、他方のテストリードであるライン側テストリード６２が着脱可能に接続される。上記一対のテストリード６は、上記一対の測定端子５を介してテスタ回路４に接続される。
【００３３】
本実施例では、表示装置８は、ディジタルディスプレイとしての液晶表示パネルとされる。表示装置８は、指定された測定目的に応じて、制御部７からの信号に従って、測定結果を示す情報を表示する。詳しくは後述するように、本実施例では、表示装置８は、上記第１の測定部による測定結果を示す第１の表示内容を表示する第１の表示部と、上記第２の測定部による測定結果を示す第２の表示内容を表示する第２の表示部との機能を有する。即ち、本実施例では、第１の表示部と第２の表示部は、第１の表示内容と第２の表示内容を選択的に表示する共通の表示装置８として構成されている。
【００３４】
本実施例では、操作部９は、ファンクションスイッチ９１及びメジャースイッチ９２などを有する。切換スイッチとしてのファンクションスイッチ９１はロータリースイッチからなり、摘み部を兼ねる指示部９１ａを機能表示９１ｂのうち所望の機能の位置に回して合わせることで、所望の機能を有効にすることができる。制御部７は、ロータリースイッチ９１の指示部９１ａの位置に応じて、所望の機能を有効とするために、測定装置１の各部を制御する。本実施例では、ロータリースイッチ９１は、その切換ステージとして、温度測定（放射温度計）、電圧測定、電流測定、抵抗測定、静電容量測定、ＯＦＦ（測定装置１の電源ＯＦＦ）を備えている。電圧測定、電流測定は、交流、直流の両方が設けられていてよいし、又それぞれ複数レンジ（測定範囲）が設けられていてもよい。本発明の理解を容易とするために、ロータリースイッチの切換ステージとしては、温度測定（図中「℃」）と電圧測定（図中「Ｖ」）のみを図示する。又、測定スイッチとしてのメジャースイッチ９２は、ロータリースイッチ９１によって選択された機能での測定の開始又は停止（ホールド）のために用いられる。
【００３５】
２．配置
図３（ａ）、（ｂ）に示すように、本実施例では、測定装置１の装置本体１０は、上面１０ａ、底面１０ｂ、左側面１０ｃ、右側面１０ｄ、前面１０ｅ、背面１０ｆを有する略平行六面体形状を有する。上面１０ａ（又は底面１０ｂ）と、左側面１０ｃ、右側面１０ｄ、前面１０ｅ及び背面１０ｆとは、それぞれ略直交する。
【００３６】
本実施例では、装置本体１０の上面１０ａに、表示装置８の表示面８ａ、操作部９のファンクションスイッチ９１及びメジャースイッチ９２が配置されている。
【００３７】
そして、本実施例では、温度測定器２の受光部としてのセンサ窓２２及び照準器３の照準光出射部としての照準光窓３４、３４は、装置本体１０の同じ側面である、背面１０ｆに配置されている。特に、本実施例では、これらセンサ窓２２と照準光窓３４、３４は、装置本体１０の背面１０ｆの平面から突出して設けられた検出端部１１に設けられている。このように若干突出した検出端部１１を設けることによって、測定者は、測定装置１を温度測定に用いる場合の検出方向、即ち、照準光の出射方向を直感的に認識することができるという利点がある。但し、検出端部１１は、背面１０ｆの他の部分から突出している必要はない。
【００３８】
又、本実施例では、テスタ回路４を用いた測定、例えば、電圧測定を行う際には、測定装置１は、測定者が装置本体１０の上面１０ａに設けられた表示装置８の表示面８ａを視認し得る通常の使用状態で、前面１０ｅが測定者の前方を向くように配置されるように意図されている。即ち、本実施例では、図４（ａ）に示すように、この状態で、表示装置８の表示面８ａに、測定結果を示す表示内容が正規の向きで表示される。図示の例では、表示装置８の表示面８ａにおける電圧値を示す表示内容（「２０．０Ｖ」）を正規の向きに見た場合の上側が、装置本体１０の前面１０ｅ側にある。この場合、典型的には、測定者は、装置本体１０を、測定者の前側において、上記表示内容を正規の向きで視認できる方向に向けて保持し、テストリード６を使用して電圧測定を行う。従って、この状態では、装置本体１０の前面１０ｅが、測定者の前方を向くことになる。
【００３９】
一方、本実施例では、温度測定を行う際には、測定装置１は、測定者が装置本体１０の上面１０ａに設けられた表示装置８の表示面８ａを視認し得る通常の使用状態で、背面１０ｆが測定者の前方を向くように配置されるように意図されている。即ち、本実施例では、図４（ｂ）に示すように、この状態で、表示装置８の表示面８ａに、測定結果を示す表示内容が正規の向きで表示される。図示の例では、表示装置８の表示面８ａにおける温度を示す表示内容（「２３．０℃」）を正規の向きに見た場合の上側が、装置本体１０の背面１０ｆ側にある。この場合、典型的には、測定者は、装置本体１０を、測定者の前側において、上記表示内容を正規の向きで視認できる方向に向けて保持し、放射温度計の機能を使用して測定対象Ｓの被測定部Ｐの温度測定を行う。従って、この状態では、装置本体１０の背面１０ｆが、測定者の前方を向くことになる。
【００４０】
尚、表示内容の正規の向きとは、表示内容をそれが示す本来の情報を認識できるように、社会通念上の本来の上側が上側になり、下側が下側になるように表示した場合の向きである。この場合の上下は、厳密な垂直方向のみを意味するものではない。表示内容が文字情報であれば、社会通念上、その構成する文字の上側が上側になり、下側が下側になるように表示した場合の向きである。但し、表示内容は文字情報に限定されるものではなく、測定結果を示すものであれば、指針式メータなどの任意の形態であってよい。又、通常、測定結果と共に、当該測定機能に対応する各種設定情報なども同じ向きに表示されるようにする。
【００４１】
このように、本実施例では、照準光出射部としての照準光窓３４、３４は、装置本体１０の側面のうち、背面１０ｆに設けられている。この背面１０ｆは、装置本体１０の側面のうち、正規の向きに見た場合の、温度以外の少なくとも一つの測定目的の測定結果を示す第２の表示内容の上側に対応する側面としての前面１０ｅ以外の側面の一つである。そして、温度の測定結果を示す第１の表示内容を表示する第１の表示部は、正規の向きに見た場合の当該第１の表示内容の上側が、照準光出射部としての照準光窓３４、３４が設けられた側面側になるように、当該第１の表示内容を表示するように構成されている。
【００４２】
本実施例では、表示装置８としての液晶表示パネルは、予め設定された複数の表示要素（表示セグメント）を選択的に点灯又は消灯させるモノクロ液晶パネルである（セグメント方式）。この表示装置８は、制御部７の制御の下、測定値、設定状態などの所定の情報を表示することができる。
【００４３】
特に、本実施例では、表示装置８は、第１の表示部としての、温度の測定結果を示す第１の表示内容を表示できるように予め設定された複数の表示要素８ａ１（図４（ｂ））と、第２の表示部としての、温度以外の測定結果を示す第２の表示内容を表示できるように予め設定された複数の表示要素８ａ２（図４（ａ））と、が設けられている。そして、制御部７は、ファンクションスイッチ９１による機能選択に応じて、第１の表示部と第２の表示部とを選択的に用いて、それぞれ温度の測定結果を示す第１の表示内容、温度以外の測定結果を示す第２の表示内容を表示させる。ここで、第１、第２の表示内容は、その全て又は一部が、共通の表示セグメントを用いて表示されるようにすることが好ましい。例えば、図４（ａ）、（ｂ）に示すような７セグメントで表示された数値部分を共通とすることができる。共通の１個の表示装置の中に第１、第２の表示内容の各表示セグメントを別々に設ける場合と比べると、上述のように共通の表示セグメントを使うことで、表示セグメントを大きくできる（大きな文字を表示できる）。又は、測定装置が小さい場合には、それに合うように表示装置を小さくできる。
【００４４】
尚、本発明は、表示装置８の方式を何ら限定するものではなく、例えば、任意の文字やグラフィック情報を表示できる液晶表示パネル（ドットマトリクス）や、カラー表示が可能な液晶表示パネルを用いることもできる。又、当然、表示装置８は、液晶表示パネルに限定されるものではなく、有機ＥＬディスプレイなど他の任意の原理に基づく表示装置であってよい。
【００４５】
３．温度測定
次に、図５をも参照して、温度測定を行う際の測定装置１の動作について説明する。図５は、本実施例の測定装置１を放射温度計として使用する場合の様子を示す斜視図である。
【００４６】
先ず、測定者は、ファンクションスイッチ９１を回して、その指示部９１ａを機能表示９１ｂのうち温度測定の位置に合わせる。これにより、ファンクションスイッチ９１が、制御部７に、放射温度計の機能が選択されたことを示す指示信号を出力する。すると、制御部７は、表示装置８の表示面８ａに、例えば、温度測定時の表示内容として、単位「℃」（更には直前の測定結果や「０℃」などのデフォルト値）などの表示内容を、温度以外の測定時の表示内容とは反転して表示させる。
【００４７】
このような動作を行うようにすることで、測定者は確実に放射温度計として測定装置１を使用していることを自覚できるため、不用意にメジャースイッチ９２を押すことで意図しない対象に照準光を照射してしまう照準光の誤射を防止することができる。
【００４８】
次に、操作者はメジャースイッチ９２を押す。これにより、メジャースイッチ９２が、制御部７に、放射温度計して測定装置１を作動させる指示信号を出力する。すると、制御部８は、レーザー光源３１を制御して、照準光としてのレーザー光Ｌを出射させる。次いで、レーザー光源３１から出射されたレーザー光Ｌの一部がハーフミラー３２を透過して測定対象Ｓに照射されると共に、レーザー光Ｌの一部がハーフミラー３２によってミラー３３に向けて反射される。又、ハーフミラー３２によって反射されたレーザー光Ｌが、ミラー３３によって反射させられて測定対象Ｓに照射される。この際に、測定対象Ｓにおけるレーザー光Ｌが照射された部位が赤い点（スポット）のように視認される（以下、この赤い点を「マーカーＭ」ともいう。）。
【００４９】
次に、測定者が測定装置１を保持する位置や測定装置１の角度を調整することにより、２個のマーカーＭの中央に所望の被測定部Ｐが位置するように２個のマーカーＭを位置合わせする。これにより、マーカーＭと被測定部Ｐとの位置合わせを容易に行うことができるので、赤外線センサ２１の検出面を被測定部Ｐに確実に対向させることができる。
【００５０】
次に、赤外線センサ２１が、被測定部Ｐから放射された赤外線Ｉを検出して、その赤外線Ｉのエネルギー量に応じた検出信号を制御部７に出力する。上述のように、赤外線センサ２１の検出面が被測定部Ｐに正確に対向させられているため、被測定部Ｐからの赤外線Ｉが赤外線センサ２１によって確実に検出される。次いで、制御部４は、検出信号の示す赤外線Ｉのエネルギー量に基づいて被測定部Ｐにおける温度を算出する。次いで、制御部７は、その温度（図示の例では２３．０℃）を示す温度データを表示装置８に出力する。これにより、表示装置８がその温度データの示す温度値を表示する。
【００５１】
ここで、前述のように、測定装置１を用いて温度測定以外の測定を行う際には、装置本体１０の背面１０ｆは、測定者側を向く（図４（ａ））。そして、本実施例では、この測定者側を向いた装置本体１０の背面１０ｆに、センサ窓２２と照準光窓３４、３４が設けられている。そのため、温度以外の測定を行う際には、センサ窓２２と照準光窓３４、３４は、測定者側を向くことになる。従って、仮に、温度以外の測定のために測定装置１を使用している際に、ファンクションスイッチ９１を温度測定の位置にしてしまい、誤ってメジャースイッチ９２を押したとしても、照準光は、測定者の腹部や胸部などに照射されるだけであり、例えば測定者の前方にいる他者に不用意に照射されることを防止することができる。
【００５２】
以上、本実施例によれば、測定装置１は、装置本体１０の側面のうち、温度以外の測定を行う際に測定者の前方を向く側面以外の側面として、装置本体１０の背面１０ｆに、照準光窓３４、３４が設けられている。即ち、本実施例では、測定装置１は、温度測定のためのセンサ窓２２や照準光窓３４、３４が、温度以外の測定を行う際の装置本体１０の手元にあるので、温度測定を行う際には装置本体１０をひっくり返して使用することになる。これにより、温度以外の測定を行う際に照準光が測定者の前方にいる他者に不用意に照射されることを防止することができる。又、温度測定を行う際には、表示装置８における表示は、温度以外の測定を行う際とは反転した表示になる。これにより、温度測定を行う際の測定結果を読み取り易くすると共に、測定者は表示装置８における表示を見ることで、測定装置１を放射温度計として使用していることを直感的に認識することができ、照準光の誤射を防止することができる。
【００５３】
このように、本実施例によれば、非接触式の温度測定が可能であると共にその他の少なくとも一つの測定目的の測定が可能である測定装置１において、温度測定のための照準光が測定者の前方の意図しない対象に不用意に照射されることを防止することができる。
【００５４】
実施例２
次に、本発明の他の実施例について説明する。本実施例の測定装置の基本的な構成及び動作は実施例１のものと同じである。従って、実施例１の測定装置のものと同一又はそれに相当する機能、構成を有する要素には同一符号を付して詳しい説明は省略する。
【００５５】
実施例１では、温度測定を行う際に、装置本体１０の上面１０ａに設けられた、温度以外の測定を行う際に用いるものと共通のメジャースイッチ９２を押すことによって、温度測定を開始した。
【００５６】
本実施例では、図６に示すように、装置本体１０の底面１０ｂに、温度測定スイッチとしての底面メジャースイッチ９３が設けられている。本実施例では、この底面メジャースイッチ９３は、実施例１と同様の上面１０ａに設けられたメジャースイッチ９２に加えて設けられている。そして、底面メジャースイッチ９３は、温度測定を行う際に用い、上面１０ａに設けられたメジャースイッチ９２は、温度以外の測定を行う際に用いる。
【００５７】
特に、本実施例では、底面メジャースイッチ９３は、照準光出射部としての照準光窓３４、３４からの照準光Ｌの出射方向の下流側から上流側に向けて移動させることで照準光Ｌの出射を開始させるように構成されている。即ち、本実施例では、装置本体１０の底面１０ｂには、照準光窓３４、３４が設けられた背面１０ｆ側から、その反対側の前面１０ｅ側に向かう軸線に沿って延在する凹部１０ｂ１が形成されており、この凹部１０ｂ１内を上記軸線に沿って移動可能な底面メジャースイッチ９３が取り付けられている。底面メジャースイッチ９３は、装置本体１０の内部に設けられた図示しない付勢手段によって背面１０ｆ側に向けて付勢されており、操作者はその付勢力に抗して底面メジャースイッチ９３を装置本体１０の内部に退避させるように押圧することで、ＯＮにする。
【００５８】
温度以外の測定を行う際に測定を開始させるメジャースイッチ９２とは別個に、温度測定を行う際に測定を開始させる底面メジャースイッチ９３を設けることで、仮に、温度以外の測定のために測定装置１を使用している際に、ファンクションスイッチ９２を温度測定の位置にしてしまい、誤って温度以外の測定を開始させるためのメジャースイッチ９１を押してしまったとしても、照準光が出射されることはない。又、本実施例では、底面メジャースイッチ９３は、温度測定を行う際に引き金のように手前に引くことでＯＮとなるように構成されており、温度測定を行う際に装置本体１０の背面１０ｆを測定者の前方に向けた状態でＯＮし易いようになっている。逆に、この底面メジャースイッチ９３は、温度以外の測定を行う際に装置本体１０の前面１０ｅを前方に向けた状態ではＯＮし難い。従って、仮に、温度以外の測定のために測定装置１を使用している際に、ファンクションスイッチ９１を温度測定の位置にしてしまっても、誤って底面メジャースイッチ９３を押してしまうことを防止することができる。
【００５９】
以上、本実施例によれば、温度測定のためのメジャースイッチが装置本体１０の底面１０ｂに設けられているので、ガンタイプに近い操作性が得られる。即ち、測定対象Ｓの被測定部Ｐに照準光Ｌを照射するために装置本体１０を上下左右に傾けた場合にも、良好な操作性が得られる。
【００６０】
このように、本実施例によれば、非接触式の温度測定が可能であると共にその他の少なくとも一つの測定目的の測定が可能である測定装置１において、温度測定の際の操作性を向上することができる。又、照準光の出射を開始させる底面メジャースイッチ９３が、温度以外の測定のためのメジャースイッチ９２とは別個に設けられ、更に温度測定を行う際に特に押し易いように構成されている。これによって、照準光が不用意に出射されることをより確実に防止することができる。
【００６１】
実施例３
次に、本発明の更に他の実施例について説明する。本実施例の測定装置の基本的な構成及び動作は実施例１のものと同じである。従って、実施例１の測定装置のものと同一又はそれに相当する機能、構成を有する要素には同一符号を付して詳しい説明は省略する。
【００６２】
図７（ａ）に示すように、本実施例では、表示装置８は、その表示面８ａを、上面１０ａで代表される装置本体１０の主面に対して起こすことができるように構成されている。特に、本実施例では、表示装置８は、温度測定を行う際に測定者の前方を向く装置本体１０の背面１０ｆとは反対側、即ち、装置本体１０の前面１０ｅ側を向くように、表示面８ａを起こすことができる。つまり、本実施例では、温度の測定結果を示す第１の表示内容を表示する第１の表示部の平面は、装置本体１０の側面のうち照準光窓３４、３４が設けたれた側面１０ｆとは反対側に向けて、装置本体１０の主面に対して起こすことができる。
【００６３】
図７（ｂ）に示すように、本実施例では、液晶表示パネルとされる表示装置８は、少なくとも表示面８ａを含む部分（本実施例では全体）が、回動軸８ｂの周りを回動可能な支持部材８ｃによって、装置本体１０に連結されている。これに限定されるものではないが、表示装置８の表示面８ａと略平行な平面の装置本体１０の主面に対する角度θは、０°〜４５°、より好ましくは０°〜９０°、更に好ましくは０°〜１８０°の範囲で変更できるようにすることができる。
【００６４】
温度測定を行う際には、測定対象Ｓの被測定部Ｐの位置によっては、装置本体１０を上下左右に傾けて使用する必要が生じる場合がある。この場合でも、本実施例では、表示装置８の表示面８ａを起こすことで、測定値が読み取り易くなる。
【００６５】
尚、本実施例は、実施例２と組み合わせて実施してもよく、その場合、温度測定を行う際の操作性及び表示の視認性を共に向上させることができる。
【００６６】
以上、本実施例によれば、温度測定を行う際に測定対象Ｓとは反対側に向くように、表示装置８の表示面８ａを立ち上げることができる。これにより、温度測定を行う際に装置本体１０を傾けても、測定値が読み取り易い。
【００６７】
このように、本実施例によれば、非接触式の温度測定が可能であると共にその他の少なくとも一つの測定目的の測定が可能である測定装置１において、温度測定の際の表示部の表示内容を読み取り易くすることができる。
【００６８】
その他
以上、本発明を具体的な実施例に則して説明したが、本発明は上述の実施例に限定されるものではない。
【００６９】
例えば、上述の実施例では、測定装置のテスタ回路は、電圧、電流、抵抗、静電容量といった複数の測定目的の測定が可能なように構成されるものとしたが、測定装置は、温度以外の少なくとも一つの測定目的を測定することができるものであればよい。又、測定装置は、放射温度計の機能を持たせたＤＭＭに限定されるものではなく、例えば放射温度計の機能を持たせたアナログテスタであってもよい。
【００７０】
又、上述の実施例では、照準光として２本のレーザー光を測定対象に照射したが、照準光として３本以上の任意の本数のレーザー光を測定対象に照射してもよい。この場合、３本以上の任意の本数のレーザー光で囲まれた領域を被測定部として特定することができる。又、照準光として１本のレーザー光を測定対象に照射してもよい。この場合、レーザー光で被測定部自体を指し示すことができる。又、照準光は、赤い点（スポット）のように視認されるマーカーに限定されるものではなく、例えば十字などの他の任意の形状に視認されるものであってよいし、色は赤以外の任意の色であってよい。又、照準光は、レーザーに限定されるものではなく、各種の可視光を用い得るし、所望により赤外線、紫外線などの非可視光であってもよい。例えば、照準光として、赤色ＬＥＤマーカーを好適に用いることができる。
【００７１】
又、上述の実施例では、照準光出射部は装置本体の背面に配置したが、これに限定されるものではない。上述のように、温度以外の測定を行う際に前方を向く装置本体の前面とは反対側の側面である背面に照準光出射部を設けることで、温度以外の測定を行う際に誤って照準光を出射しても、その照準光は測定者の腹部や胸部に照射され、測定者の周囲にいる他者に不用意に照準光が照射されることをより確実に防止することができる。しかし、装置本体の側面のうち温度以外の測定を行う際に前方を向く側面以外の側面に照準光出射部を設けることで、測定者の前方にいる他者に不用意に照準光が照射されることを防止することができる。例えば、装置本体の側面のうち、正規の向きに見た場合の温度以外の測定結果を示す第２の表示内容の左側又は右側に対応する側面、或いは装置本体の底面に、照準光出射部が設けられていてもよい。この場合、赤外センサの受光部も同じ側面に設けられる。
【００７２】
又、上述の実施例では、温度測定時と温度以外の測定時とで、共通の表示装置の表示面の表示内容を反転させた。しかし、これに限定されるものではなく、温度測定時と温度以外の測定時とで選択的に用いられる別個の表示装置を設けてもよい。そして、各表示装置は、それぞれの測定時に表示内容の上側が測定者の前方側になるように、測定結果を示す表示内容を表示するように構成することができる。
【００７３】
又、上述の実施例では、測定装置の装置本体は略平行六面体形状を有するものとして説明したが、これに限定されるものではなく、例えば、略円柱形状など他の任意の形状であってよい。
【符号の説明】
【００７４】
１          測定装置
２          非接触式の温度測定器
３          照準器
４          テスタ回路
７          制御部
８          表示装置
９          操作部
１０        装置本体
１１        検出端部
２１        赤外線センサ
２２        センサ窓
３１        レーザー光源
３４        照準光窓
【図１】
0005932378.tif 000002
【図２】
0005932378.tif 000003
【図３】
0005932378.tif 000004
【図４】
0005932378.tif 000005
【図５】
0005932378.tif 000006
【図６】
0005932378.tif 000007
【図７】
0005932378.tif 000008
【図８】
0005932378.tif 000009